(57)【要約】      （修正有）【課題】簡易に消火薬剤等の点検を実施することができる粉末消火設備を提供する。【解決手段】格納箱８と、格納箱に格納される貯蔵容器２と、貯蔵容器に充填される粉末状の消火薬剤と、消火薬剤を貯蔵容器の外に噴出させる放出管４と、消火薬剤を放出管から噴出させるべく、ユーザ操作に応じて貯蔵容器内に高圧ガスを供給する加圧用ガス容器５と、貯蔵容器に設けられて、貯蔵容器内の消火薬剤の上面を貯蔵容器外から視認可能な窓部７と、を具備する。【選択図】図１
0003226747.tif 000002
【実用新案登録請求の範囲】
【請求項１】
格納箱と、
前記格納箱に格納される貯蔵容器と、
前記貯蔵容器に充填される粉末状の消火薬剤と、
前記消火薬剤を前記貯蔵容器の外に噴出させる放出管と、
前記消火薬剤を前記放出管から噴出させるべく、ユーザ操作に応じて前記貯蔵容器内に高圧ガスを供給する加圧用ガス容器と、
前記貯蔵容器に設けられて、前記貯蔵容器内の前記消火薬剤の上面を前記貯蔵容器外から視認可能な窓部と、
を具備することを特徴とする粉末消火設備。
【請求項２】
前記窓部は、前記貯蔵容器に開閉自在に設けられており、開いた状態において前記貯蔵容器内の前記消火薬剤の上面を前記貯蔵容器外に露出させること、
を特徴とする請求項１に記載の粉末消火設備。
【請求項３】
前記貯蔵容器は、膨出する上端部を有する筒体であり、
前記窓部は、前記上端部に設けられていること、
を特徴とする請求項１又は２に記載の粉末消火設備。
【請求項４】
前記窓部は、前記上端部に形成された開口に固定されたソケットと、前記ソケットを着脱自在に封止するプラグと、を含むこと、
を特徴とする請求項３に記載の粉末消火設備。
【考案の詳細な説明】
【技術分野】
【０００１】
本考案は、粉末消火設備に関し、特に移動式粉末消火設備に関する。
【背景技術】
【０００２】
例えば、格納箱内に、粉末消火剤貯蔵容器、巻かれた状態で保管される放射ホース、放射ノズル及び放出弁を常備し、粉末消火剤貯蔵容器内の粉末消火剤を放射ホースを通して放射ノズルから放射するようにした移動式粉末消火設備が知られている（例えば特許文献１）。
【先行技術文献】
【特許文献】
【０００３】
【特許文献１】特開２０１３−１５４０１４号公報
【考案の概要】
【考案が解決しようとする課題】
【０００４】
ところで、移動式粉末消火設備については、定期点検の際に、貯蔵容器内の消火剤量を目視または秤で確認することとされている。そのため、従来、貯蔵容器を格納箱から取り出し、巻かれたホースをほどいたうえで、貯蔵容器上部の蓋を開放し貯蔵容器内を目視するなどして、消火剤等の点検を行っている。点検後には、貯蔵容器を格納箱内に再固定し、ホースを巻き戻すことになる。
【０００５】
しかし、これらの作業は煩わしく、したがって、移動式粉末消火設備の点検にはなお改善の余地がある。
【０００６】
そこで、本考案は、簡易に消火薬剤等の点検を実施することができる粉末消火設備の提供を目的とする。
【課題を解決するための手段】
【０００７】
上述した課題を解決すべく、本考案は、
格納箱と、
前記格納箱に格納される貯蔵容器と、
前記貯蔵容器に充填される粉末状の消火薬剤と、
前記消火薬剤を前記貯蔵容器の外に噴出させる放出管と、
前記消火薬剤を前記放出管から噴出させるべく、ユーザ操作に応じて前記貯蔵容器内に高圧ガスを供給する加圧用ガス容器と、
前記貯蔵容器に設けられて、前記貯蔵容器内の前記消火薬剤の上面を前記貯蔵容器外から視認可能な窓部と、
を具備することを特徴とする粉末消火設備を提供する。
【０００８】
更に、本考案の粉末消火設備では、
前記窓部が、前記貯蔵容器に開閉自在に設けられており、開いた状態において前記貯蔵容器内の前記消火薬剤の上面を前記貯蔵容器外に露出させること、が好ましい。
【０００９】
本考案の粉末消火設備では、
前記貯蔵容器が、膨出する上端部を有する筒体であり、
前記窓部は、前記上端部に設けられていること、が好ましい。
【００１０】
また、本考案の粉末消火設備では、
前記窓部が、前記上端部に形成された開口に固定されたソケットと、前記ソケットを着脱自在に封止するプラグと、を含むこと、が好ましい。
【考案の効果】
【００１１】
上記本考案の粉末消火設備を用いることにより、簡易に消火薬剤等の点検を実施することができる。しかも、昇温時に窓部から排圧することで、貯蔵容器内の圧力上昇を抑制することができる。
【図面の簡単な説明】
【００１２】
【図１】本実施形態に係る粉末消火設備１を概略的に示す、（Ａ）正面図、（Ｂ）Ａ−Ａ線断面図、及び（Ｃ）収納箱８の扉を省略した正面図である。
【図２】封止状態における粉末消火設備１の部分拡大図である。
【図３】開栓状態における粉末消火設備１の部分拡大図である。
【考案を実施するための形態】
【００１３】
以下、本考案の代表的な実施形態に係る粉末消火設備について、図面を参照しつつ詳細に説明する。ただし、本考案は、本実施形態に限定されるものではない。また、図面は、本考案を概念的に説明するためのものであるから、理解容易のために、必要に応じて寸法、比又は数を誇張又は簡略化して表している場合もある。なお、説明の便宜上、矢印Ｘの方向を上向きとする。
【００１４】
本実施形態に係る粉末消火設備１は、移動式粉末消火設備であって、例えば屋内駐車場や屋外駐車場、自動車の整備工場、機械工場、危険物貯蔵所等の設置場所に固定される。粉末消火設備１は、いわゆる加圧式であって、図１〜図３に示すように、貯蔵容器２、消火薬剤３、放出管４、加圧用ガス容器５、ホース６及び窓部７を備え、格納箱８に収納されている。粉末消火設備１は、ホース６のクリーニング装置９を備えていてもよい。
【００１５】
貯蔵容器２は、例えばＡＢＣ粉末などの粉末状の消火薬剤３を貯蔵する金属容器である。図１（Ｂ）及び（Ｃ）に示すように、貯蔵容器２は、筒体をなしており、膨出する上端部２１を有する。
【００１６】
貯蔵容器２には、窓部７を取り付けるための開口２２が形成されている。開口２２は、図２及び図３に示すように上端部２１に形成されていることが好ましいが、貯蔵容器２内の消火薬剤３の上面よりも上側に位置していればよい。なお、消火薬剤３は、貯蔵容器２（上端部２１）の頂部に設けられた蓋２３から充填される。
【００１７】
放出管４は、ホース６を介して消火薬剤３を貯蔵容器２外に噴出ないし噴射させる。放出管４は、貯蔵容器２の内部を外部と連通させるサイホン管である。
【００１８】
ホース６は、格納箱８内に巻き回された状態で保持されている。ホース６は、先端に、ノズルコックを備えたノズル６１を有している。
【００１９】
加圧用ガス容器５は、放出管４から消火薬剤３を噴出させるべく、ユーザ操作（例えばハンドル５１の開動作）に応じて貯蔵容器２内に例えば二酸化炭素ガスなどの高圧ガスを供給する。本実施形態では、加圧用ガス容器５は、貯蔵容器２の外側に設けられているが、これに限られない。
【００２０】
窓部７は、貯蔵容器２に開閉自在に設けられる部材である。窓部７は、閉じた状態においては貯蔵容器２を封止し（図２参照）、開いた状態においては貯蔵容器２内の消火薬剤３の上面３１を貯蔵容器２外に露出させる（図３参照）。したがって、点検者は、窓部７を通して貯蔵容器２内の消火薬剤３を視認することができる。
【００２１】
窓部７は、消火薬剤３の上面３１よりも上側に位置するように、貯蔵容器２の上端部２１に設けられていることが好ましい。また、窓部７は、点検操作の簡便性の観点から、上端部２１の開口２２に固定されたソケット７１と、ソケット７１を着脱自在に封止するプラグ７２と、を含むことが好ましい。
【００２２】
例えば、ソケット７１の内周面には雌ネジが形成され、プラグ７２の外周面には対応する雄ネジが形成されて、プラグ７２をソケット７１に嵌入又はねじ込むことでソケット７１が封止され、プラグ７２をソケット７１から取り外すことでソケット７１の封止が解除される。
【００２３】
なお、窓部７は、加圧用ガス容器５の開放時における貯蔵容器２の内圧に耐え得るものであり、金属部材であることが好ましいが、上記の内圧に耐え得る限り、ガラスや樹脂等の他の材料で作製されてもよい。
【００２４】
このような構造の粉末消火設備１では、火災発生時において、ユーザは、加圧用ガス容器５を開放し、貯蔵容器２内に高圧ガスを供給することで、貯蔵容器２内を加圧する。次に、ユーザは、放出弁６２を開き、ノズル６１を把持しながらホース６を引き伸ばし、ノズルコックを開放して、貯蔵容器２内の消火薬剤３をホース６から火元に放射する。
【００２５】
消火作業の終了後には、ホース６の放出弁６２を閉じ、加圧用ガス容器５を閉じる。次いで、ホース６を、格納箱８内に巻き回して再収納する。併せて、クリーニング装置９でホース６のクリーニングを行ってもよい。
【００２６】
粉末消火設備１の点検時には、ユーザは、プラグ７２を外し、ソケット７１及び開口２２を通して貯蔵容器２内を覗く。これにより、貯蔵容器２を格納箱８から取り出し、巻かれたホース６を裁いてから貯蔵容器２頂部の蓋２３を取り外す、といった手間のかかる作業を行うことなく、消火薬剤３の目視点検を簡易に行うことができる。
【００２７】
また、必要に応じて、窓部７から消火薬剤３のサンプリングを容易に行うことができる。更に、昇温時には、窓部７を、貯蔵容器２内の圧力上昇を抑制するための排圧口として利用することも可能である。
【００２８】
以上、本考案の代表的な実施形態について説明したが、本考案はこれらに限定されるものではなく、種々の設計変更が可能である。
【符号の説明】
【００２９】
１・・・粉末消火設備
２・・・貯蔵容器
３・・・消火薬剤
４・・・放出管
５・・・加圧用ガス容器
６・・・ホース
７・・・窓部
７１・・・ソケット
７２・・・プラグ
【図１】
0003226747.tif 000003
【図２】
0003226747.tif 000004
【図３】
0003226747.tif 000005